(57)【特許請求の範囲】
【請求項１】
キャスターを備えるベースフレームと、前記ベースフレームから立設され上部にハンドルを備える支柱フレームと、前記ベースフレーム上に支持されペットを収容する収容体とを備えたペット用カートであって、
前記収容体の前側面は、その下端縁を軸として前記収容体の外側へ傾倒可能に枢着された開放扉になっていると共に、前記開放扉の内側には踏み板が段差状に形成されており、
前記開放扉を傾倒した状態においては、前記収容体の前側面が開口し前記開放扉の踏み板がペットを案内する階段になるようにしたことを特徴とするペット用カート。
【発明の詳細な説明】
【技術分野】
【０００１】
本発明は、ペットを乗せることができるカートに関するものである。
【背景技術】
【０００２】
従来、ペットを連れて出掛けてもペットが入店できる店は少なく、飼い主はペットと一緒に店に入れないことが多かった。しかし、近年、ペットを飼う人の増加に伴いペットと一緒に買い物をしたいという要望が多くなっている。そのため、ペットの入店を許可するホームセンター等が増えてきている。そのような店で買い物をする場合、飼い主はペットをリードで繋いで歩かせながら、買物カート（例えば特許文献１）を押して買い物することとなる。
【０００３】
ここで、特許文献１の買物カートは、下部に前キャスター２を有する下枠３と、下枠３の後端部に固定され下部にキャスター４を備えると共に上部にハンドル５を備える支柱６とによって概略構成されており、支柱６の上部には前方に向けて買い物籠を載置する網状の荷物保持部７が設けられ、下枠３には買物カゴを載置できるように枠３Ａ，３Ｂ，３Ｃ，３Ｄが設けられている。
【先行技術文献】
【特許文献】
【０００４】
【特許文献１】特開２００５−１３２２６８号公報
【特許文献２】実用新案登録第３１１０３１０号公報
【発明の概要】
【発明が解決しようとする課題】
【０００５】
しかしながら、上述した通常の買物カートで買い物をしつつ、ペットをリードで繋いで歩かせると、飼い主はカートを押すのと同時に、歩き回るペットの行動に注意を払いながら買い物をしなければならない。そのため、ゆっくりと買い物を楽しむことができず、飼い主によっては、ペットと一緒に買い物へ行くことを諦め、ペットを買い物に連れて行かなかったり、あるいは店の駐車場の車にペットを残して買い物をしていた。
【０００６】
他方、上記した問題を解決するものとして特許文献２のようなペット用ショッピングカートが創作されている。このペット用ショッピングカートでは、前述の特許文献１に記載された買物カートの荷物保持部７にあたる部分にペットを乗せることができるように改良されているものの、ペットを乗せる部分が地面から離れた高い位置にあるため、飼い主がペットを抱き上げてカート上に乗せる必要があり、飼い主に負担をかけてしまうことになる。また、このカートではペットの乗る部分の大きさや高さから考えると、大型犬に利用することは難しいなどの問題が存在している。
【０００７】
そこで、本発明は、上記問題点に鑑み、飼い主に負担をかけることなくペットをカートに乗せることができ、ペットと一緒に買い物ができるペット用カートを提供することを目的としている。
【課題を解決するための手段】
【０００８】
かかる目的を達成するため本発明に係るペット用カートは、キャスターを備えるベースフレームと、前記ベースフレームから立設され上部にハンドルを備える支柱フレームと、前記ベースフレーム上に支持されペットを収容する収容体とを備えたペット用カートであって、前記収容体の前側面は、その下端縁を軸として前記収容体の外側へ傾倒可能に枢着された開放扉になっていると共に、前記開放扉の内側には踏み板が段差状に形成されており、前記開放扉を傾倒した状態においては、前記収容体の前側面が開口し前記開放扉の踏み板がペットを案内する階段になるようにしたことを特徴とする。
【発明の効果】
【０００９】
本発明に係るペット用カートは、ペットが入る収容体を備えているので、収容体内にペットを入れておくことができ、飼い主はペットに気をとられることなくゆっくりとペットと一緒に買い物をすることができる。さらに、収容体はベースフレーム上に支持されているので、収容体の底面がベースフレーム上の低位置となる。よって、収容体の周壁を高く設定でき、ひいては収容体そのものを大きくすることができるので、このペット用カートは大型犬の場合にも利用が可能となる。
【００１０】
また、収容体の周壁の前側面には開放扉が設けられ、開放扉は下端縁を軸として収容体の外側へ傾倒可能に枢着されていると共に、その内側に踏み板が段差状に形成されている。そのため、開放扉が傾倒することで収容体の前面が開口し、ペットの出入り口ができる。さらに、傾倒した開放扉の上面は階段になっているため、ペットはこの階段を通って自らカートへ乗り降りすることができる。このとき飼い主はペットを誘導するだけでよいので、ペットをカートへ乗せる際の飼い主の負担を軽減することができる。
【図面の簡単な説明】
【００１１】
【図１】本発明に係るペット用カートの全体斜視図。
【図２】本発明に係るペット用カートの全体斜視図（開放扉が傾倒した状態）。
【図３】図１の部分斜視図。
【図４】図２の部分斜視図。
【図５】本発明に係るペット用カートの側面図。
【図６】本発明に係るペット用カートの側面図。
【図７】本発明に係るペット用カートの平面図。
【図８】本発明に係るペット用カートの底面図。
【図９】本発明に係るペット用カートの正面図。
【図１０】本発明に係るペット用カートの背面図。
【発明を実施するための形態】
【００１２】
以下、本発明に係るペット用カートを図面に基づいて具体的に説明する。図１は本実施形態のペット用カート１の全体斜視図である。ペット用カート１は、ベースフレーム２と、ベースフレーム２後端から立設される支柱フレーム３と、ベースフレーム２及び支柱フレーム３に設けられペットを収容する収容体４と、支柱フレーム３の上部位置であって前記収容体４より上方に設けられる荷物載置部５とからなる。
【００１３】
前記ベースフレーム２は、前方になるにしたがって幅狭となるように平面視略コ字状に屈曲形成されている。ベースフレーム２の前端下方にはキャスター６，６が左右それぞれに取り付けられている。また、ベースフレーム２の後端下方にもキャスター７，７が左右それぞれに取り付けられており、このキャスター７，７にはロック部材８，８が設けられている。そして、ベースフレーム２の前後方向略中間位置には、前記収容体４を下方から支持する一対の支持杆９，９が起立するように溶接固定されている。
【００１４】
前記支柱フレーム３は、ベースフレーム２の左右後端からそれぞれ一定の間隔を保って立設する一対の支柱１１，１１と、この一対の支柱の上端を繋ぐようにして水平に設けられるハンドル１２とからなる。詳述すると、支柱１１は、ベースフレーム２の後端から立設して前方へ向って屈曲した後、さらに上向きにＬ字をなすように屈曲しやや後方へ傾斜しながら上方へ起立している。そして、およそ大人の腰の高さ付近で後方に水平に屈曲し、その先端同士を連結するようにハンドル１２が連設されている。このように、一対の支柱１１，１１とハンドル１２は、一本の金属製パイプを略コ字状に折り曲げて一体に形成されている。ハンドル１２にはグリップ１３，１３が巻装されている。また、ハンドル１２の前方位置には前記荷物載置部５が設けられている。
【００１５】
前記荷物載置部５は、荷物や商品、あるいは商品用カゴを載置するためのラックである。荷物載置部５は、支柱１１の起立部分の上寄りの位置に略水平に架設された軸杆１５と、軸杆１５の後方であって支柱１１の水平部分の前後方向略中央位置の下方に設けられた支持枠１６とによって、下方から支えられるようにして固定されている。支持枠１６は、上向きコ字状に屈曲形成された金属棒状部材であって、その水平部分は前記軸杆１５と同じ高さに位置しており、荷物載置部５を略水平に支持している。
【００１６】
前記収容体４は、ペットがその内側に収容される有底の箱体であって、底面部２１と、その周縁から立設する４面の周壁とからなる。周壁は、底面部２１の左右側縁それぞれから立設する一対の側面部２３，２３と、側面部２３，２３の後方であって前記支柱１１，１１間に設けられる後面部２４と、後面部２４に対向するように設けられる前面部２２とからなる。また、底面部２１、側面部２３，２３、及び後面部２４は、いずれも多数本の金属性の線材を用いて格子状に組んで形成されている。
【００１７】
前記収容体４の底面部２１は、前方になるにしたがって幅狭となる略台形状に形成されている。そして、底面部２１の後方側縁の左右端部は、それぞれベースフレーム２上に固定されている。さらに、底面部２１の左右側縁の前後方向略中央部は、ベースフレーム２上に立設された前記支持杆９にそれぞれ支持されている。このようにして、収容体の底面部２１は、前方になるにつれて上方へ傾斜してベースフレーム２に支持されている。
【００１８】
前記収容体４の後面部２４は、支柱フレーム３の支柱間１１，１１に位置している。後面部２４は、その上縁の左右両端から逆Ｕ字状の引掛部２６，２６が延設されており、この引掛部２６，２６は前記軸杆１５に吊り下げられている。このようにして、後面部２４はその上端を軸として後面部２４の下縁が前方、すなわち収容体４内側へ回動可能なように支柱フレーム２に枢着されている。また、後面部２４の下縁は、底面部２１の後方側縁の内側に当接するように位置しているため、後面部２４の下縁が収容体４の外側に回動することが防止されている。
【００１９】
前記収容体４の側面部２３，２３は、底面部２１の左右側縁からそれぞれ鉛直に立設すると共に、その後方側縁は支柱１１の起立部分によって後方から溶接されて支持されている。対向する側面部２３，２３の間隔は、底面部２１の形状により前方になるにつれ僅かに狭くなると共に、側面部２３の下縁は前方になるにつれて上方へ傾斜している。一方、側面部２３の上縁は水平となっており、側面部２３の上下幅は前方に向って次第に狭くなっている。また、側面部２３，２３の前方側縁２３ａ，２３ａの上端寄りには、前方側縁２３ａと平行な方向（鉛直方向）に貫通する孔が形成されたパイプ状の係合凹部３０，３０が取り付けられている。さらに、前方側縁２３ａ，２３ａの下端寄りには、前面部取付フレーム３１が設けられている。前面部取付フレーム３１は、前方側縁２３ａ，２３ａの下端前方に取り付けられた軸受け部３２，３２と、軸受け部３２，３２の上端同士を水平に連結するように設けられた水平部３３とからなる。軸受け部３２は、水平部３３の両端から前方側縁２３ａに沿って下方へ屈曲され、さらに前方へ向ってＵ字状に上方へ折り返された上端をこのＵ字状部を閉塞するようにさらに後方へ水平に屈曲して形成されている。
【００２０】
前記収容体４の前面部２２は、その下縁である軸杆４０を前記軸受け部３２，３２に枢着されることにより収容体４の外側へ傾倒可能に設けられており、ペットの出入り口用の開放扉として機能する。また、前面部２２が傾倒することによって収容体４の前方が開口される構成となっている（図２）。以下、前面部２２について図３を用いて詳しく説明する。
【００２１】
前記軸杆４０の左右両端には、軸部材４１，４１が設けられ、この軸部材４１の周縁には溝４２が一周形成されている。この溝４２を前記軸受け部３２内に位置させることで、軸杆４０は軸受け部３２に回動自在に枢着されている。なお、軸受け部３２は側面視で縦長状に形成されているため、軸杆４０は回動可能に枢着されるだけでなく、僅かに上下方向にも動かせるように枢着されている。そして、軸杆４０の軸部材４１，４１より内側位置には、軸杆４０を一辺とした略矩形状となるように下向きコ字状の前面枠４５が溶接されている。前面枠４５は、側面部前方側縁２３ａ，２３ａと略同じ高さ位置で後方へ水平に折り曲げられることで一対の屈曲部４６，４６が形成されている。屈曲部４６，４６の下側には、水平に棒部材４７ａが架設されている。さらに、棒部材４７ａの下方であって前面枠４５の高さ方向略中央位置に水平に棒部材４７ｂが架設されている。また、前面枠４５の下寄り位置にも水平に棒部材４７ｃが架設されている。なお、棒部材４７ａは前面枠４５の幅より長く延出し、側面部前方側縁２３ａ，２３ａ間と同じ幅の位置において下方に屈曲され、係合部４８，４８が形成されている。この係合部４８は、前記係合凹部３０の孔に対応位置しているため、前面部２２を僅かに上下動させることで係合部４８を係合凹部３０に挿通できる。これにより、前面部２２の起立状態の固定および解除が可能になる。
【００２２】
前記前面枠４５の内側には、１枚の金属板等を階段状に曲げ加工して形成された段部５１が、棒部材４７ａ，４７ｂ，４７ｃに溶接されることで設けられている。以下、段部５１について図４を用いて詳述する。段部５１は、図４に示されるとおり、踏み板５３，５５と蹴上げ板５４，５６とからなる。踏み板５３は、棒部材４７ｃに固着された後縁から略水平に前方に設けられている。そして、踏み板５３の前縁から下方に略垂直に折曲されて蹴上げ板５４が延設されている。蹴上げ板５４の下縁は、棒部材４７ｂに溶接されると共に、前方に略水平に折曲して踏み板５５が延設されている。そして、踏み板５５の前縁から更に下方へ略垂直に折曲されて蹴上げ板５６が延設され、その下縁は棒部材４７ａに溶接されている。なお、図６（側面図）に示すように略水平な地面上で前面部２２を傾倒させた場合、前面枠４５の屈曲部４６，４６が地面に接地すると共に、踏み板５３，５５は略水平となる。
【００２３】
次に、このような構成をしたペット用カート１に、ペットを乗せる方法について説明する。まず、飼い主は収容体４の前面部２２を開くため、前面部２２の起立状態の固定を解除する。すなわち、前面部２２を僅かに上方に持上げて係合部４８を係合凹部３０から外し、前面部２２を回動可能にする。そして、前面部２２を収容体４の外側へ傾倒させることで収容体４前方を開口させる（図１→図２）。この開口がペットの出入り口となると共に、傾倒状態である前面部２２の段部５１がペットの乗降用の階段となる。
【００２４】
続いて、飼い主は、ペットを前面部２２の段部５１を渡って収容体４内に入るよう誘導する。そして、ペットが収容体４内に入ったら前面部２２を起立状態になるまで回動し、収容体４前方の開口を閉じる（図２→図１）。そして、前面部２２の係合部４８を係合凹部３０に挿入して前面部２２を起立状態に固定する。ここで、収容体４の前面部２２を起立状態に回動する際、前面部２２が収容体４の内側に倒れそうになっても前面部２２が前面部取付フレーム３１の水平部３３に当たるため、前面部２２が収容体４の内側に倒れて収容体４内にいるペットに倒れ掛かってしまうということはなく安全である。
【００２５】
続いて、使用後にペットを収容体から出す際も同様の操作をする。すなわち、飼い主は、収容体４の前面部２２の起立状態の固定を解除して前面部２２を傾倒させ、ペットが傾倒状態の前面部２２である段部５１を下り収容体４の外へ出るように誘導する。そして、ペットが収容体４の外に出たら、前面部２２を回動させて起立状態に固定する。
【００２６】
ここで、カートの使用中において、飼い主が前面部２２を上方に僅かに持上げて前面部２２の起立状態の固定を解除しない限り、収容体４が開口されることはない。さらに、収容体４の後面部２４も収容体４の外側へは回動しない構成となっている。よって、カートの使用中に収容体４内のペットが前面部２２あるいは後面部２４を開けて外に飛び出る恐れはなく、飼い主は安心して買い物をすることができる。
【００２７】
また、収容体４の前面部２２が傾倒されることでペットの出入り口ができると共に、傾倒した前面部２２を渡ってペットは自らカート１へ乗り降りすることができる。さらに、傾倒した前面部２２の傾斜が急であっても、前面部２２には段部５１が形成されているためペットは乗り降りが可能になる。このとき、飼い主はペットを収容体４内へ誘導するだけでよいので、飼い主の負担は少ない。また、ペットを誘導する際、収容体４の一側面と上面が開口しているため、飼い主はリードひいたまま犬を収容体４内に誘導することができる。
【００２８】
また、ベースフレーム２および収容体４は前方になるにしたがって幅狭となっている。さらに、収容体４の底面部２１は前方になるにしたがって上方へ傾斜し、収容体４の側面部２３の上下幅は前方に向って次第に狭くなっている。このような形状をした収容体４の後面部２４が上縁を軸に前方へ回動可能に構成されているため、カートの未使用時には、複数のカートを前後方向にネスティングすることができる。
【００２９】
さらに、荷物載置部５は、収容体４の上方であるハンドル１２の前に位置するため、飼い主は商品を荷物載置部５に置きやすく買い物がしやすい。それと同時に、荷物載置部５が収容体４より上方に位置するので衛生的である。
【００３０】
なお、本実施例の収容体４は、金属性の線材を格子状に組んだもので説明したが、実際に使用する場合、ペットの足が嵌まらないように収容体の底面部２１にシートや床板などを敷設する。また、収容体４を木製にしたり、あるいは、ペットを見やすいように透明のアクリル板に変更することも可能である。さらに、収容体４に天井部を設けても良い。
【００３１】
また、前面部２２に設ける踏み板５３の数は、前面部２２の傾斜や長さによって変更可能である。
【符号の説明】
【００３２】
１        ペット用カート
２        ベースフレーム
３        支柱フレーム
４        収容体
５        荷物載置部
２２      開放扉
５３      踏み板
【図１】
0005282129.tif 000002
【図２】
0005282129.tif 000003
【図３】
0005282129.tif 000004
【図４】
0005282129.tif 000005
【図５】
0005282129.tif 000006
【図６】
0005282129.tif 000007
【図７】
0005282129.tif 000008
【図８】
0005282129.tif 000009
【図９】
0005282129.tif 000010
【図１０】
0005282129.tif 000011